【事件の表示】
　平成１１年特許願第２７５５７１号「音声情報および静止画情報を記録する情報記憶媒体および、この媒体を用いる記録方法、再生方法、再生装置」拒絶査定不服審判事件〔平成１３年　４月１３日出願公開、特開２００１−１０１８４１〕について、次のとおり審決する。
【結　論】
　本件審判の請求は、成り立たない。
【理　由】
第１　手続の経緯
　
　本願は、平成１１年９月２９日に出願したものであって、平成１８年６月１３日付け拒絶理由通知に対する応答期間内の同年８月２１日付けで手続補正がなされたが、平成１８年９月１１日付けで拒絶査定がなされ、これに対し、平成１８年１０月１９日付けで拒絶査定不服審判が請求されるとともに同年１１月１４日付けで手続補正がなされた。そして、平成１９年８月３日付けで上申書が提出された。
　その後、平成２０年８月１２日付けで前置報告書を利用した審尋がなされたが、回答書は提出されなかったものである。
　
第２　平成１８年１１月１４日付けの手続補正についての補正却下の決定
　
［補正却下の決定の結論］
　平成１８年１１月１４日付けの手続補正を却下する。
　
［理由］
１．本件補正
　平成１８年１１月１４日付け手続補正（以下「本件補正」という。）は、明細書についてするもので、そのうち特許請求の範囲については、本件補正前に、
　
「【請求項１】
　音声情報と静止画像情報が記録されるデータ領域と、前記音声情報および前記静止画像情報の管理情報が記録される管理領域を有する情報記憶媒体において、
　前記管理情報が第１の管理情報と第２の管理情報を含み、
　前記第１の管理情報が前記静止画情報の静止画像の表示順序を設定する情報とこの静止画像の表示タイミングを設定する情報を含み、
　前記第２の管理情報が、表示する前記静止画像の数の状況を含むように構成された情報記憶媒体。
　【請求項２】
　前記管理情報は前記音声情報の再生順序を示す情報を含み、
　前記再生手順を示す情報に従って前記音声情報が再生される際に同時に前記静止画像情報を表示する場合に、最初に表示する前記静止画像情報が、その再生手順の内容を代表する静止画像情報として設定されるように構成された請求項１に記載の情報記憶媒体。
　【請求項３】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含むように構成された情報記憶媒体を用いる方法において、
　前記音声情報および前記静止画情報を前記データ領域に記録し、
　前記管理情報を前記管理領域に記録する方法。
　【請求項４】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含むように構成された情報記録媒体を用いる方法において、
　前記管理情報を前記管理領域から再生し、
　前記音声情報および前記静止画情報を前記データ領域から再生する再生方法。
　【請求項５】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含むように構成された情報記憶媒体を用いる装置において、
　前記音声情報および前記静止画情報を前記データ領域に記録する手段と、
　前記管理情報を前記管理領域に記録する手段を具備した記録装置。
　【請求項６】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含むように構成された情報記憶媒体を用いる装置において、
　前記管理情報を前記管理領域から再生する手段と、
　前記音声情報および前記静止画情報を前記データ領域から再生する手段を具備した再生装置。
　【請求項７】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含むように構成された情報記憶媒体を用いる装置において、
　前記管理情報を前記管理領域から再生する手段と、
　前記音声情報および前記静止画情報を前記データ領域から再生する手段と、
　前記画像情報を表示する手段を具備した再生装置。
　【請求項８】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含むように構成されたメモリカードを用いる装置において、
　前記管理情報を前記管理領域から再生する手段と、
　前記音声情報および前記静止画情報を前記データ領域から再生する手段を具備した再生装置。
　【請求項９】
　前記音声情報と前記静止画像情報との間の再生関係を示す管理情報が記録される請求項１に記載の情報記憶媒体を用いる方法において、
　前記音声情報を再生する第１の再生単位を有し、
　前記第１の再生単位で再生する音声情報の内容を代表する代表画像に関する情報が前記管理情報に記録された情報記憶媒体を用い、
　前記第１の再生単位で管理される第１の音声情報を分割して、前記第１の再生単位で再生する第２の音声情報と第３の音声情報に分け、
　分割前の前記第１の音声情報の内容を代表する代表画像に一致した静止画像を、前記第２の音声情報の内容を代表する代表画像および前記第３の音声情報の内容を代表する代表画像として、前記管理情報に記録する代表画像の設定方法。
　【請求項１０】
　前記音声情報と前記静止画像情報との間の再生関係を示す管理情報が記録される請求項１に記載の情報記憶媒体を用いる方法において、
　前記音声情報を再生する第１の再生単位を有し、
　前記第１の再生単位で再生する音声情報の内容を代表する代表画像に関する情報が前記管理情報に記録された情報記憶媒体を用い、
　前記第１の再生単位で管理される第４の音声情報および第５の音声情報を結合して、前記第１の再生単位で再生する第６の音声情報とし、
　結合前における前記第４の音声情報の内容を代表する代表画像および結合前における前記第５の音声情報の内容を代表する代表画像のうち、結合後に先に再生される方の音声情報の内容を代表する代表画像を、前記第６の音声情報の内容を代表する代表画像として、前記管理情報に記録する代表画像の設定方法。」
　とあったところを、
　
本件補正後、
「【請求項１】
　音声情報と静止画像情報が記録されるデータ領域と、前記音声情報および前記静止画像情報の管理情報が記録される管理領域を有する情報記憶媒体において、
　前記管理情報が第１の管理情報と第２の管理情報を含み、
　前記第１の管理情報が前記静止画情報の静止画像の表示順序を設定する情報とこの静止画像の表示タイミングを設定する情報を含み、
　前記第２の管理情報が、表示する前記静止画像の数の状況を含
み、
　
前記静止画像情報の管理情報は複数の別管理情報を含み、これら複数の別管理情報がそれぞれ個々に前記静止画像の数の状況を含む
　【請求項２】
　前記管理情報は前記音声情報の再生順序を示す情報を含み、
　前記再生手順を示す情報に従って前記音声情報が再生される際に同時に前記静止画像情報を表示する場合に、最初に表示する前記静止画像情報が、その再生手順の内容を代表する静止画像情報として設定されるように構成された請求項１に記載の情報記憶媒体。
　【請求項３】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　前記音声情報および前記静止画情報を前記データ領域に記録し、
　前記管理情報を前記管理領域に記録する方法。
　【請求項４】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　前記管理情報を前記管理領域から再生し、
　前記音声情報および前記静止画情報を前記データ領域から再生する再生方法。
　【請求項５】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　前記音声情報および前記静止画情報を前記データ領域に記録する手段と、
　前記管理情報を前記管理領域に記録する手段を具備した記録装置。
　【請求項６】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　前記管理情報を前記管理領域から再生する手段と、
　前記音声情報および前記静止画情報を前記データ領域から再生する手段を具備した再生装置。
　【請求項７】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　前記管理情報を前記管理領域から再生する手段と、
　前記音声情報および前記静止画情報を前記データ領域から再生する手段と、
　前記画像情報を表示する手段を具備した再生装置。
　【請求項８】
　音声情報と静止画像情報が記録されるデータ領域と前記音声情報および前記静止画像情報の管理情報が記録される管理領域を有するものであって、前記管理情報が第１の管理情報と第２の管理情報を含み、前記第１の管理情報が前記静止画情報の静止画像の表示順序を設定する情報とこの静止画像の表示タイミングを設定する情報を含み、前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　前記管理情報を前記管理領域から再生する手段と、
　前記音声情報および前記静止画情報を前記データ領域から再生する手段を具備した再生装置。
　【請求項９】
　前記音声情報と前記静止画像情報との間の再生関係を示す管理情報が記録される請求項１に記載の情報記憶媒体を用いる方法において、
　前記音声情報を再生する第１の再生単位を有し、
　前記第１の再生単位で再生する音声情報の内容を代表する代表画像に関する情報が前記管理情報に記録された情報記憶媒体を用い、
　前記第１の再生単位で管理される第１の音声情報を分割して、前記第１の再生単位で再生する第２の音声情報と第３の音声情報に分け、
　分割前の前記第１の音声情報の内容を代表する代表画像に一致した静止画像を、前記第２の音声情報の内容を代表する代表画像および前記第３の音声情報の内容を代表する代表画像として、前記管理情報に記録する代表画像の設定方法。
　【請求項１０】
　前記音声情報と前記静止画像情報との間の再生関係を示す管理情報が記録される請求項１に記載の情報記憶媒体を用いる方法において、
　前記音声情報を再生する第１の再生単位を有し、
　前記第１の再生単位で再生する音声情報の内容を代表する代表画像に関する情報が前記管理情報に記録された情報記憶媒体を用い、
　前記第１の再生単位で管理される第４の音声情報および第５の音声情報を結合して、前記第１の再生単位で再生する第６の音声情報とし、
　結合前における前記第４の音声情報の内容を代表する代表画像および結合前における前記第５の音声情報の内容を代表する代表画像のうち、結合後に先に再生される方の音声情報の内容を代表する代表画像を、前記第６の音声情報の内容を代表する代表画像として、前記管理情報に記録する代表画像の設定方法。」
　とするものである。
　
　上記本件補正は、本件補正前の請求項と比較して、独立請求項１，３乃至８について、発明特定事項である「前記第２の管理情報が、表示する前記静止画像の数の状況を含む」を「前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　
　そこで、本件補正の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項に規定する要件を満たすか）否かについて、以下検討する。
　
　なお、本願補正発明には、「前記静止画情報」（請求項１の４行目）と記載されているが、「前記静止画像情報」の誤記と認められるので、以下「前記静止画像情報」として検討する。
　
２．引用例
　
　原査定の拒絶の理由に引用された特開平１１−２３２８４９号公報（平成１１年８月２７日公開、以下「引用例」という。）には、音声データなどの主データと、文字情報や画像情報などの副データを記録できる記録媒体に関して、図面と共に、以下の記載がある。（なお、下線は、当審で付与した。）
　
（１）「【特許請求の範囲】
【請求項１】　
時間的連続性のある主データを１又は複数のプログラムとして記録するプログラム領域と
前記プログラム領域に記録される主データとしての１又は複数のプログラムについての記録又は再生又は編集動作を管理する主データ管理情報を記録する主データ管理領域と
前記主データとしての各プログラムとは独立したデータとしての副データを１又は複数のデータファイルとして記録する副データ領域と
前記副データ領域に記録される副データとしての１又は複数のデータファイルの記録又は再生又は編集動作の管理を行う副データ管理情報を記録する副データ管理領域とが形成され
前記副データ管理領域に記録される副データ管理情報は、全部又は一部のデータファイルの再生が、あるプログラムの再生進行時間に応じたタイミングで行われるような動作管理が可能な形態とされることを特徴とする記録媒体
【請求項２】〜【請求項１６】（省略）」
　
（２）「【０００１】
【発明の属する技術分野】本発明は例えば
音声データなどの主データと、文字情報や画像情報などの副データを記録できる記録媒体
　
（３）「【００４６】３．エリア構造
本例のディスク９０のエリア構造を図５で説明する。図５（ａ）はディスク最内周側から最外周側までのエリアを示している。光磁気ディスクとしてのディスク９０は、最内周側はエンボスピットにより再生専用のデータが形成されるピット領域とされており、ここにＰ−ＴＯＣが記録されている。ピット領域より外周は、光磁気領域とされ、記録トラックの案内溝としてのグルーブが形成された記録再生可能領域となっている。この光磁気領域の最内周側のクラスタ０〜クラスタ４９までの区間が管理エリアとされ、実際の楽曲等のプログラムが記録されるのは、クラスタ５０〜クラスタ２２５１までのプログラムエリアとなる。プログラムエリアより外周はリードアウトエリアとされている。
【００４７】管理エリア内を詳しく示したものが図５（ｂ）である。図５（ｂ）は横方向にセクター、縦方向にクラスタを示している。管理エリアにおいてクラスタ０，１はピット領域との緩衝エリアとされている。クラスタ２はパワーキャリブレーションエリアＰＣＡとされ、レーザー光の出力パワー調整等のために用いられる。
クラスタ３，４，５はＵ−ＴＯＣが記録される。Ｕ−ＴＯＣの内容は後述するが、１つのクラスタ内の各セクターにおいてデータフォーマットが規定され、それぞれ所定の管理情報が記録される
【００４８】
クラスタ６，７，８はＡＵＸ−ＴＯＣが記録される。ＡＵＸ−ＴＯＣの内容についても後述するが、１つのクラスタ内の各セクターにおいてデータフォーマットが規定され、それぞれ所定の管理情報が記録される
【００４９】
クラスタ９からクラスタ４６までの領域は、ＡＵＸデータが記録される領域となる。ＡＵＸデータとしてのデータファイルはセクター単位で形成され、後述する静止画ファイルとしてのピクチャーファイルセクタ、文字情報ファイルとしてのテキストファイルセクター、プログラムに同期した文字情報ファイルとしてのカラオケテキストファイルセクター等が形成される
【００５０】なおＡＵＸデータエリアでのデータファイルの記録容量は、エラー訂正方式モード２として考えた場合に２．８Ｍバイトとなる。また、例えばプログラムエリアの後半部分やプログラムエリアより外周側の領域（例えばリードアウト部分）に、第２のＡＵＸデータエリアを形成して、データファイルの記録容量を拡大することも考えられる。
【００５１】クラスタ４７，４８，４９は、プログラムエリアとの緩衝エリアとされる。クラスタ５０（＝３２ｈ）以降の
プログラムエリアには、１又は複数の楽曲等の音声データがＡＴＲＡＣと呼ばれる圧縮形式で記録される
【００５２】なお、ミニディスクシステムではプログラム等が再生専用のデータとしてピット形態で記録されている再生専用ディスクも用いられるが、この再生専用ディスクでは、ディスク上はすべてピットエリアとなる。そして記録されているプログラムの管理はＰ−ＴＯＣによって後述するＵ−ＴＯＣとほぼ同様の形態で管理され、Ｕ−ＴＯＣは形成されない。但し、ＡＵＸデータとして再生専用のデータファイルを記録する場合は、それを管理するためのＡＵＸ−ＴＯＣが記録されることになる。
【００５３】４．Ｕ−ＴＯＣ
４−１　Ｕ−ＴＯＣセクター０
前述したように、ディスク９０に対して
プログラム（トラック）の記録／再生動作を行なうためには、システムコントローラ１１は、予めディスク９０に記録されている管理情報としてのＰ−ＴＯＣ、Ｕ−ＴＯＣを読み出し
　
（４）「【００８２】５．ＡＵＸ−ＴＯＣ
５−１　ＡＵＸ−ＴＯＣセクター０
本例のディスク９０では、図５で説明したようにＡＵＸデータファイル及びＡＵＸ−ＴＯＣを記録する領域が設定され、
ＡＵＸデータファイルとして楽曲等のトラック（プログラム）とは独立した文字情報や画像情報などを記録できる。そしてそのＡＵＸデータファイルはＡＵＸ−ＴＯＣによって管理される
　
（５）「【００９２】５−２　ＡＵＸ−ＴＯＣセクター１
ＡＵＸ−ＴＯＣセクター１〜セクター５は、静止画情報としてのピクチャーファイルの管理に用いられる
【００９３】このＡＵＸ−ＴＯＣセクター１では、Ｕ−ＴＯＣセクター０と同様の形式でピクチャーファイルの管理を行う。ＡＵＸデータエリアに記録される静止画１枚のピクチャーファイルとしてのファイル長は本例では１クラスタ又は２クラスタとするが、仮に１ファイルを１クラスタとすると、ＡＵＸデータエリアに最大３８枚のピクチャーファイルが記録できる。そのうち１枚の画像となるピクチャーファイルは、いわゆるディスクの表紙画像（ディスクジャケット等となる表紙ピクチャー）として位置づけできる。
【００９４】表紙画像以外では３７枚となる各ピクチャーファイルの管理に用いられるポインタP-PNO（X）として、ＡＵＸ−ＴＯＣセクター１内にはP-PNO1〜P-PNO37が形成される。但し、ＡＵＸデータエリアの将来的な拡張やファイルサイズ変更などにより、より多数のピクチャーファイルの記録が可能となる場合に対応できるように、P-PNO（X）として、図１２内に括弧で示すようにポインタP-PNO225まで設定することはできる。またポインタ部において、ポインタP-PFRA、P-EMPTYも形成される。そしてテーブル部において各ポインタに対応される各８バイトのパーツテーブルとして、スタートアドレス、エンドアドレス、画像モード（SPICTモード）が記録される２５５単位のパーツテーブル（01h）〜（FFh）が形成される。
【００９５】また、パーツテーブル（00h）はポインタによっては指定されないパーツテーブルとなるが、ここは表紙ピクチャーとして位置づけられたピクチャーファイルのアドレス管理に専用に用いられる。
【００９６】
ポインタP-PNO1〜P-PNO37は、それぞれ１つのピクチャーファイルが記録された領域を、特定のパーツテーブルを指定することで管理する
　
（６）「【０１１０】５−６　ＡＵＸ−ＴＯＣセクター５
図１６に示す
ＡＵＸ−ＴＯＣセクター５は、静止画プレイバックシーケンステーブルとされている。これは楽曲等のプログラムの再生に同期してピクチャーファイルの出力（つまり画像表示）を行うための管理情報となる。このセクター５には、ポインタP-TNO1〜P-TNO225が用意される。これは、Ｕ−ＴＯＣセクター０で説明したポインタP-TNO1〜P-TNO225と同じく、楽曲等のプログラムとしての第１トラック〜第２２５トラックに対応する
【０１１１】またこのポインタP-TNO1〜P-TNO225によって指定されるパーツテーブルとして、テーブル部には１単位８バイトで２２５単位のパーツテーブル（01h）〜（FFh）が形成される。またポインタP-TNO1〜P-TNO225によって指定されないパーツテーブルとして同じく８バイトの１つのパーツテーブル（00h）が形成されている。
【０１１２】
ポインタP-TNO1〜P-TNO225によって指定されるパーツテーブルには、そのトラックの先頭位置アドレスからのオフセットアドレス形態でスタートアドレス、エンドアドレスが記録され、またポインタP-PNO（
☆
）として特定のピクチャーファイルが示されている。ポインタP-PNO（
☆
）はＡＵＸ−ＴＯＣセクター１で管理される各ピクチャーファイルに相当する値となる。さらにリンク情報によって他のパーツテーブルをリンクできる
【０１１３】例えば第１トラックとしての楽曲の再生を行う際に、その
再生中の特定のタイミングで第１のピクチャーファイルの画像を出力したい場合は、ポインタP-TNO1で指定されるパーツテーブルに、画像出力期間としてのスタートアドレス、エンドアドレスを記録し、また出力すべき画像としてポインタP-PNO（
☆
）で特定のピクチャーファイルを示す
また１つのトラックの再生中に複数の画像を切換表示したい場合は、パーツテーブルがリンクされて、出力すべきピクチャーファイル及び出力期間が管理されることになる
　
　上記摘示事項及び図面の記載を総合勘案すると、引用例には、次の発明（以下「引用発明」という。）が記載されているものと認める。
　
「音声データなどの主データが記録されるプログラム領域と、主データを管理する管理情報が記録される主データ管理領域と、静止画情報等の副データが記録される副データ領域と、副データを管理する管理情報が記録される副データ管理領域とが形成される記録媒体において、
　副データ管理情報は、プログラム（トラック）に対応したポインタP-TNOによって指定されるパーツテーブルを形成し、パーツテーブルには、トラックの先頭アドレスからのオフセットアドレス形態でスタートアドレス、エンドアドレスを記録し、またポインタP-PNOとして特定の静止画情報が示され、さらにリンク情報によって他のパーツテーブルをリンクできる、プログラムの再生進行時間に応じた特定のタイミングで動作管理が可能な形態とされた
　記録媒体。」
　
３．対比
　
　そこで、本願補正発明と引用発明とを対比する。
　
（１）引用発明の「主データ」は、「音声データなど」であるから、本願補正発明の「音声情報」に相当する。引用発明の「副データ」は「静止画情報等」であるから、本願補正発明の「静止画像情報」に相当する。そして、引用発明の「プログラム領域」及び「副データ領域」が「データ領域」であることは明らかであるから、引用発明と本願補正発明とは「音声情報と静止画像情報が記録されるデータ領域」で共通する。
　そして、引用発明の「主データ管理領域」及び「副データ管理領域」は、「管理情報」が記録される領域であるから、本願補正発明の「管理領域」に相当する。また引用発明の「記録媒体」は、本願補正発明の「情報記憶媒体」に相当するから、結局、引用発明と本願補正発明とは「音声情報と静止画像情報が記録されるデータ領域と、前記音声情報および前記静止画像情報の管理情報が記録される管理領域を有する情報記憶媒体」で共通する。
（２）引用発明の「副データ管理情報」は、「トラックの先頭アドレスからのオフセットアドレス形態でスタートアドレス、エンドアドレス」「ポインタP-PNO」及び「リンク情報」を含むものであるから、引用発明と本願補正発明とは少なくとも「管理情報が第１の管理情報と第２の管理情報を含み」で共通する。
（３）引用発明は、リンク情報によって他のパーツテーブルをリンクするものであり、リンクされるパーツテーブルの順序が静止画像の表示順序となるものであるから、本願補正発明の「第１の管理情報が静止画像情報の静止画像の表示順序を設定する情報」に相当する構成を備えている。また引用発明の「スタートアドレス、エンドアドレス」は、「プログラムの再生進行時間に応じた特定のタイミング」であるから、本願補正発明の「静止画像の表示タイミングを設定する情報」に相当する。結局、引用発明は、本願補正発明の「第１の管理情報が静止画像情報の静止画像の表示順序を設定する情報とこの静止画像の表示タイミングを設定する情報を含み」に相当する構成を備えている。
（４）引用発明の「副データ管理情報」は、プログラム毎の管理情報を持ち、換言すれば複数の別管理情報を含むものであるから、引用発明と本願補正発明とは「前記静止画像情報の管理情報は複数の別管理情報を含む」で共通する。
　
　そうすると、本願補正発明と引用発明とは、次の点で一致する。
　
＜一致点＞
「音声情報と静止画像情報が記録されるデータ領域と、前記音声情報および前記静止画像情報の管理情報が記録される管理領域を有する情報記憶媒体において、
　前記管理情報が第１の管理情報と第２の管理情報を含み、
　前記第１の管理情報が前記静止画像情報の静止画像の表示順序を設定する情報とこの静止画像の表示タイミングを設定する情報を含むように構成された情報記憶媒体。」の点。
　
　そして、次の各点で相違する。　
＜相違点＞
（ａ）本願補正発明は、「第２の管理情報が、表示する静止画像の数の状況を含み」とするものであるのに対し、引用発明は、そのような特定がなされていない点。
　
（ｂ）「別管理情報」について、本願補正発明は、「（これら）複数の別管理情報がそれぞれ個々に静止画像の数の状況を含む」とするものであるのに対し、引用発明は、そのような特定がなされていない点。
　
４．判断
　
　そこで、上記相違点について検討する。
　
相違点（ａ）、（ｂ）について
　引用発明は、プログラムのトラック毎にパーツテーブルを持ちトラック再生中に複数の静止画像を切換表示する場合、各静止画像情報に対応する複数のポインタP-PNOを有するのであるから、複数の静止画像の状態を表している、換言すれば、複数の静止画像の数の状況を含むものであり、ポインタP-PNOが静止画像情報に対応するものであることから、これらの複数のポインタP-PNOは管理情報といえるから、結局、引用発明は、「第２の管理情報が、表示する静止画像の数の状況を含み」とする構成を実質的に備えているものであり、相違点（ａ）は自明の事項または当業者が適宜なし得る程度のものである。
　そして、引用発明において、管理情報は複数の別管理情報を含むものであるから、相違点（ｂ）の「これらの複数の別管理情報がそれぞれ個々に静止画像の数の状況を含」むとすることも当業者が適宜なし得るものである。
　
　そして、上記相違点を総合的に判断しても、本願補正発明が奏する効果は引用例から、当業者が十分に予測できたものであって、格別なものとはいえない。
　したがって、本願補正発明は、引用例に記載された発明に基づいて当業者が容易に発明をすることができたものであるから、特許法第２９条第２項の規定により特許出願の際独立して特許を受けることができない。
　
５．本件補正についてのむすび
　
　以上のとおり、本件補正は、平成１８年法律第５５号改正附則第３条第１項によりなお従前の例によるとされる同法による改正前の特許法第１７条の２第５項で準用する同法第１２６条第５項の規定に違反するので、同法第１５９条第１項の規定において読み替えて準用する同法第５３条第１項の規定により却下すべきものである。
　
第３　本願発明について
　
１．本願発明
　
　平成１８年１１月１４日付けの手続補正は上記のとおり却下されたので、本願の請求項１に係る発明（以下「本願発明」という。）は、平成１８年８月２１日付け手続補正で補正された明細書の特許請求の範囲の請求項１に記載された事項により特定される、前記「第２［理由］１．」の補正前の「請求項１」として記載したとおりのものである。
　
２．引用例及びその記載
　
　原査定の拒絶の理由で引用された引用例及びその記載事項は、上記「第２［理由］２．」に記載したとおりである。
　
３．対比・判断
　
　本願発明は、上記「第２［理由］３．４．」で検討した本願補正発明から「前記第２の管理情報が、表示する前記静止画像の数の状況を含
み、前記静止画像情報の管理情報は複数の別管理情報を含み、これら複数の別管理情報がそれぞれ個々に前記静止画像の数の状況を含
　そうすると、本願発明の構成要件を全て含み、さらに他の構成要件を付加したものに相当する本願補正発明が、上記「第２［理由］３．４．」に記載したとおり、引用例に記載された発明に基づいて、当業者が容易に発明をすることができたものであるから、本願発明も、同様の理由により、引用例に記載された発明に基づいて、当業者が容易に発明をすることができたものである。
　
４．むすび
　
　以上のとおり、本願の請求項１に係る発明は、特許法第２９条第２項の規定により特許を受けることができない。
　したがって、本願は、その余の請求項について論及するまでもなく拒絶すべきものである。
　
　よって、結論のとおり審決する。